(57)【要約】本発明は、伝送路を介して対向する伝送装置が接続されたことを認識し、接続を認識した伝送装置では、保持しているパス設定情報を対向する伝送装置に送信すると共に、パス設定情報に基づいて自装置内のパス設定を行い、対向する伝送装置では、受信したパス設定情報に基づいて自装置内のパス設定を行い、両伝送装置間の通信経路を確立することにより、ネットワークの構築及びパス設定の変更に要する時間と手間を省略でき、パス設定の変更によるデータの損失や誤りを防止することができる。
2004068803.tif 000002
【特許請求の範囲】
【請求項１】
伝送路を介して対向する伝送装置が接続されたことを認識し、
前記接続を認識した伝送装置では、保持しているパス設定情報を前記対向する伝送装置に送信すると共に、前記パス設定情報に基づいて自装置内のパス設定を行い、
前記対向する伝送装置では、受信したパス設定情報に基づいて自装置内のパス設定を行い、
両伝送装置間の通信経路を確立するパス設定方法。
【請求項２】
伝送路を介して対向する伝送装置が接続されたことを認識し、
前記接続を認識した伝送装置では、パス設定情報送信要求を前記対向する伝送装置に送信し、
前記対向する伝送装置では受信したパス設定情報送信要求に基づいて、保持しているパス設定情報を、前記接続を認識した伝送装置に送信すると共に、前記パス設定情報に基づいて自装置内のパス設定を行い、
前記接続を認識した伝送装置では、受信したパス設定情報に基づいて自装置内のパス設定を行い、
両伝送装置間の通信経路を確立するパス設定方法。
【請求項３】
伝送路を介して対向する伝送装置が接続されたことを認識し、
前記接続を認識した伝送装置では、自装置内にパス設定情報を保持しているか否かを判別し、
自装置内にパス設定情報を保持している場合は請求項１記載の方法でパス設定を行い、自装置内にパス設定情報を保持していない場合は請求項２記載の方法でパス設定を行い、
両伝送装置間の通信経路を確立するパス設定方法。
【請求項４】
複数の伝送装置で構成されるネットワークを監視する監視制御装置から伝送装置にパス設定情報を送信し、
前記パス設定情報を受信した伝送装置では、受信したパス設定情報を伝送路を介して対向する伝送装置に送信すると共に、前記パス設定情報に基づいて自装置内のパス設定を行い、
前記対向する伝送装置では、受信したパス設定情報に基づいて自装置内のパス設定を行い、
両伝送装置間の通信経路を確立するパス設定方法。
【請求項５】
複数の伝送装置で構成されるネットワークを監視する監視制御装置から伝送装置にパス設定コマンドを送信し、
前記パス設定コマンドを受信した伝送装置では、パス設定情報送信要求を伝送路を介して対向する伝送装置に送信し、
前記対向する伝送装置では受信したパス設定情報送信要求に基づいて、保持しているパス設定情報を、前記接続を認識した伝送装置に送信すると共に、前記パス設定情報に基づいて自装置内のパス設定を行い、
前記接続を認識した伝送装置では、受信したパス設定情報に基づいて自装置内のパス設定を行い、
両伝送装置間の通信経路を確立するパス設定方法。
【請求項６】
複数の伝送装置で構成されるネットワークを監視する監視制御装置から伝送装置にパス設定コマンドを送信し、
前記パス設定コマンドを受信した伝送装置では、自装置内にパス設定情報を保持しているか否かを判別し、
自装置内にパス設定情報を保持している場合は請求項４記載の方法でパス設定を行い、自装置内にパス設定情報を保持していない場合は請求項５記載の方法でパス設定を行い、
両伝送装置間の通信経路を確立するパス設定方法。
【請求項７】
請求項１，３，４，６のいずれか記載のパス設定方法において、
前記パス設定情報を送信した伝送装置は、前記対向する伝送装置からパス設定完了通知がなされないとき、前記パス設定情報を再送するパス設定方法。
【請求項８】
請求項２，３，５，６のいずれか記載のパス設定方法において、
前記パス設定情報送信要求を送信した伝送装置は、前記対向する伝送装置からのパス設定情報が受信されないとき、前記パス設定情報送信要求を再送するパス設定方法。
【請求項９】
請求項２，３，５，６のいずれか記載のパス設定方法において、
前記パス設定情報送信要求を送信した伝送装置は、前記対向する伝送装置からのパス設定情報が受信されないとき、自装置に保持しているパス設定情報を前記対向する伝送装置に送信するパス設定方法。
【請求項１０】
伝送路を介して対向する伝送装置が接続されたことを認識する接続認識手段と、
前記接続を認識したとき、保持しているパス設定情報を前記対向する伝送装置に送信するパス設定情報送信手段と、
前記パス設定情報もしくは前記伝送路から受信したパス設定情報に基づいて自装置内のパス設定を行うパス設定手段を
有する伝送装置。
【請求項１１】
伝送路を介して対向する伝送装置が接続されたことを認識する接続認識手段と、
前記接続を認識したとき、パス設定情報送信要求を前記対向する伝送装置に送信するパス設定情報送信要求手段と、
受信したパス設定情報送信要求に基づいて、保持しているパス設定情報を、前記接続を認識した伝送装置に送信するパス設定情報送信手段と、
前記パス設定情報もしくは伝送路から受信したパス設定情報に基づいて自装置内のパス設定を行うパス設定手段を
有する伝送装置。
【請求項１２】
伝送路を介して対向する伝送装置が接続されたことを認識する接続認識手段と、
前記接続を認識したとき、自装置内にパス設定情報を保持しているか否かを判別するパス設定情報保持判別手段と、
前記パス設定情報を保持しているとき、もしくは、受信したパス設定情報送信要求に基づいて、保持しているパス設定情報を前記対向する伝送装置に送信するパス設定情報送信手段と、
前記パス設定情報を保持していないとき、パス設定情報送信要求を前記対向する伝送装置に送信するパス設定情報送信要求手段と、
前記パス設定情報もしくは前記伝送路から受信したパス設定情報に基づいて自装置内のパス設定を行うパス設定手段を
有する伝送装置
【請求項１３】
複数の伝送装置で構成されるネットワークを監視する監視制御装置において、
前記ネットワークに新たな伝送装置が接続されたことを前記新たな伝送装置に伝送路を介して対向する伝送装置から通知されたとき、前記新たな伝送装置のパス設定情報を前記対向する伝送装置に送信するパス設定情報送信制御手段を
有する監視制御装置。
【請求項１４】
請求項１３記載の監視制御装置において、
前記対向する伝送装置からパス設定完了通知がないとき、前記パス設定情報を再送するパス設定情報再送手段を
有する監視制御装置。
【請求項１５】
複数の伝送装置で構成されるネットワークを監視する監視制御装置において、
前記ネットワークに新たな伝送装置が接続されたことを前記新たな伝送装置に伝送路を介して対向する伝送装置から通知されたとき、前記新たな伝送装置のパス設定コマンドを前記対向する伝送装置に送信するパス設定コマンド送信制御手段を
有する監視制御装置。
【請求項１６】
請求項１５記載の監視制御装置において、
前記対向する伝送装置からパス設定完了通知がないとき、前記パス設定コマンドを再送するパス設定コマンド再送手段を
有する監視制御装置。
【請求項１７】
コンピュータを
伝送路を介して対向する伝送装置が接続されたことを認識する接続認識手段、
前記接続を認識したとき、保持しているパス設定情報を前記対向する伝送装置に送信するパス設定情報送信手段、
前記パス設定情報もしくは前記伝送路から受信したパス設定情報に基づいて自装置内のパス設定を行うパス設定手段
として機能させるためのプログラムを記録したコンピュータ読み取り可能な記録媒体。
【請求項１８】
コンピュータを
伝送路を介して対向する伝送装置が接続されたことを認識する接続認識手段と、
前記接続を認識したとき、パス設定情報送信要求を前記対向する伝送装置に送信するパス設定情報送信要求手段、
受信したパス設定情報送信要求に基づいて、保持しているパス設定情報を、前記接続を認識した伝送装置に送信するパス設定情報送信手段、
前記パス設定情報もしくは伝送路から受信したパス設定情報に基づいて自装置内のパス設定を行うパス設定手段
として機能させるためのプログラムを記録したコンピュータ読み取り可能な記録媒体。
【請求項１９】
コンピュータを
前記ネットワークに新たな伝送装置が接続されたことを前記新たな伝送装置に伝送路を介して対向する伝送装置から通知されたとき、前記新たな伝送装置のパス設定情報を前記対向する伝送装置に送信するパス設定情報送信制御手段
として機能させるためのプログラムを記録したコンピュータ読み取り可能な記録媒体。
【請求項２０】
コンピュータを
前記ネットワークに新たな伝送装置が接続されたことを前記新たな伝送装置に伝送路を介して対向する伝送装置から通知されたとき、前記新たな伝送装置のパス設定コマンドを前記対向する伝送装置に送信するパス設定コマンド送信制御手段
として機能させるためのプログラムを記録したコンピュータ読み取り可能な記録媒体。
【発明の詳細な説明】
【技術分野】  本発明は、パス設定方法及びそれを用いた伝送装置及び監視制御装置及びそのプログラムを記録した記録媒体に関し、ネットワーク内のパス設定を行うパス設定方法及びそれを用いた伝送装置及び監視制御装置及びそのプログラムを記録した記録媒体に関する。
【背景技術】  図１及び図２は、従来の一例のネットワーク構成図を示す。図１に示す伝送装置Ａは低速側に低速伝送装置ａ１〜ａＮを収容し，伝送装置Ｂは低速側に低速伝送装置ｂ１〜ｂＮを収容し、伝送装置Ａと伝送装置Ｂは高速側の伝送路を介して対向接続されている。図２に示す伝送装置Ｃは低速側に低速伝送装置ｃ１〜ｃＮ，ｂ２を収容し，伝送装置Ｄは低速側に低速伝送装置ｄ１〜ｂＮを収容し、高速側の伝送路を介して対向接続されている。
低速伝送装置ａ１（ｃｈ１）とｂ１（ｃｈ１），ａ２（ｃｈ２）とｂ２（ｃｈ２），ａＮ（ｃｈＮ）とｂＮ（ｃｈＮ）それぞれが高速側伝送路を介して対向接続し、低速伝送装置ｃ１（ｃｈ１）とｄ１（ｃｈ１），ｂ２（ｃｈ２）とｄ２（ｃｈ２），ｃＮ（ｃｈＮ）とｄＮ（ｃｈＮ）それぞれが高速側伝送路を介して対向接続する場合、伝送装置Ａに接続された監視制御装置Ｅで伝送装置Ａ，Ｂ，Ｃ，Ｄ各々の「パス設定情報」を作成し、各々の伝送装置に対し「パス設定コマンド」を送信し、パス設定をすることが必須である。
従来、低速側に接続する伝送装置を増設する場合や帯域の割り付けを変更（伝送レートの変更）する場合は、監視制御装置Ｅにて対向する伝送装置各々の「パス設定情報」を作成し直し、各々の伝送装置に対し再度「パス設定コマンド」を送信し実行することが必須であり、ネットワークが大規模になった場合、ネットワークを構築するのに時間と手間が掛かるという問題があった。
また、ネットワークが大規模になった場合に、低速伝送装置のパス設定を変更する度に、各々の伝送装置のパス設定を設定しなおす従来方法では、時間が掛かると共に装置毎に人為的にパス設定を行うことで操作ミスによるデータの損失や誤りが発生するおそれがあるという問題があった。
なお、通信システムの親監視制御局に子監視制御局を増設する際に子局設定情報を自動設定するものとしては、例えば特許文献１に記載のものが知られている。また、制御装置に回線で結ばれた端末機に制御プログラムを初期ロードするものとしては、例えば特許文献２に記載のものが知られている。
【特許文献１】    特開平１１−１２７１２４号公報
【特許文献２】    特開昭５９−１３９４２４号公報
【発明の開示】
本発明は、上述した従来技術の問題点を解決する、パス設定方法及びそれを用いた伝送装置及び監視制御装置及びそのプログラムを記録した記録媒体を提供することを総括的な目的としている。
本発明のより詳細な目的は、ネットワークの構築及びパス設定の変更に要する時間と手間を省略でき、パス設定の変更によるデータの損失や誤りを防止できるパス設定方法及びそれを用いた伝送装置及び監視制御装置及びそのプログラムを記録した記録媒体を提供することを目的とする。
この目的を達成するため、本発明に係るパス設定方法は、伝送路を介して対向する伝送装置が接続されたことを認識し、前記接続を認識した伝送装置では、保持しているパス設定情報を前記対向する伝送装置に送信すると共に、前記パス設定情報に基づいて自装置内のパス設定を行い、前記対向する伝送装置では、受信したパス設定情報に基づいて自装置内のパス設定を行い、両伝送装置間の通信経路を確立するよう構成される。
このようなパス設定方法によれば、ネットワークの構築及びパス設定の変更に要する時間と手間を省略でき、パス設定の変更によるデータの損失や誤りを防止することができる。
【図面の簡単な説明】  本発明の他の目的、特徴及び利点は添付の図面を参照しながら以下の詳細な説明を読むことにより一層明瞭となるであろう。
図１は、従来の一例のネットワーク構成図である。
図２は、従来の一例のネットワーク構成図である。
図３は、本発明の第１実施例のネットワーク構成図である。
図４は、パス設定処理の第１実施例のフローチャーである。
図５は本発明の第２実施例のネットワーク構成図である。
図６は、パス設定処理の第２実施例のフローチャートである。
図７は、パス設定処理の第３実施例のフローチャートである。
図８は、本発明の第４実施例のネットワーク構成図である。
図９は、パス設定処理の第４実施例のフローチャートである。
図１０は、本発明の第５実施例のネットワーク構成図である。
図１１は、パス設定処理の第５実施例のフローチャートである。
図１２は、パス設定処理の第６実施例のフローチャートである。
図１３は、本発明の第７実施例のネットワーク構成図である。
図１４は、パス設定制御処理の第１実施例のフローチャートである。
図１５は、本発明の第８実施例のネットワーク構成図である。
図１６は、パス設定制御処理の第２実施例のフローチャートである。
図１７は、パス設定処理の第３実施例の変形例のフローチャートである。
【発明を実施するための最良の形態】  以下、本発明の実施例を図面に基づいて説明する。
図３は、本発明の第１実施例のネットワーク構成図を示す。同図中、伝送装置Ａにおいて、監視制御装置Ｉ／Ｆ部Ａ−１は、監視制御装置Ｅと通信を行う。低速側伝送路Ｉ／Ｆ部Ａ−２は、低速側伝送装置との伝送路接続を行う。高速側伝送路Ｉ／Ｆ部Ａ−３は、高速側で伝送装置と接続を行う。監視部Ａ−４は、自装置内の監視を周期的に行い、制御部に通知する。記憶部Ａ−５は、パス設定情報等の情報を保持する。
制御部Ａ−６は、監視制御装置Ａ−１とコマンド／レスポンスを送受信する機能と、低速側伝送路Ｉ／Ｆ部Ａ−２，高速側伝送路Ｉ／Ｆ部Ａ−３とのデータの送受信機能と、監視部Ａ−４が収集した監視状態を認識する機能と、記憶部Ａ−５に保持されているパス設定情報の読み出し機能及び監視制御装置又は対向装置から受信したパス設定情報を書き込む機能と、「パス設定情報」を基に自装置内のパス設定を行う機能を有する。
また、伝送装置Ｂにおいても同様に、監視制御装置Ｉ／Ｆ部Ｂ−１は、監視制御装置Ｇさ接続された場合に通信を行う。低速側伝送路Ｉ／Ｆ部Ｂ−２は、低速側伝送装置との伝送路接続を行う。高速側伝送路Ｉ／Ｆ部Ｂ−３は、高速側で伝送装置と接続を行う。監視部Ｂ−４は、自装置内の監視を周期的に行い、制御部に通知する。記憶部Ｂ−５は、パス設定情報等の情報を保持する。
制御部Ｂ−６は、監視制御装置Ｂ−１とコマンド／レスポンスを送受信する機能と、低速側伝送路Ｉ／Ｆ部Ｂ−２，高速側伝送路Ｉ／Ｆ部Ｂ−３とのデータの送受信機能と、監視部Ｂ−４が収集した監視状態を認識する機能と、記憶部Ｂ−５に保持されているパス設定情報の読み出し機能及び監視制御装置又は対向装置から受信したパス設定情報を書き込む機能と、「パス設定情報」を基に自装置内のパス設定を行う機能を有する。
監視制御装置Ｅは、例えば伝送装置Ａと接続されており、ネットワークを構成する各伝送装置の動作状況を監視することでネットワークの監視を行う。
伝送装置Ａは、低速側に低速伝送装置ａ１，ａ２，ａＮと伝送路を介して接続し、伝送装置Ｂは低速側に低速伝送装置ｂ１，ｂ２，ｂＮと伝送路を介して接続し、伝送装置Ａと伝送装置Ｂは高速側で伝送路を介して接続されている。低速伝送装置ａ１（ｃｈ１）とｂ１（ｃｈ１），ａ２（ｃｈ２）とｂ２（ｃｈ２），ａＮ（ｃｈＮ）とｂＮ（ｃｈＮ）は高速伝送路を介してそれぞれ対向接続されている。
図４は、制御部Ａ−６，Ｂ−６が実行するパス設定処理の第１実施例のフローチャートを示す。この処理は所定時間毎に繰り返し実行される。同図中、ステップＳ１０で監視部Ａ−４，Ｂ−４において伝送路で対向する伝送装置の接続を認識したか否かを判別し、認識した場合にはステップＳ１２で当該伝送路にパス設定情報を送信し、ステップＳ１３でこのパス設定情報に基づいてパスを設定する。パス設定情報は、タイムスロットＴＳ０にチャネルｃｈ１が設定され、タイムスロットＴＳ１，ＴＳ２にチャネルｃｈ２が設定され、タイムスロットＴＳ３〜ＴＳ５にチャネルｃｈＮが設定され、タイムスロットＴＳ６にチャネルｃｈ３が設定される等の情報である。
ステップＳ１０で認識がなかった場合にはステップＳ１４にてパス設定情報を受信したか否かを判別し、受信がなければステップＳ１０に進む。パス設定情報を受信した場合にはステップＳ１６で受信したパス設定情報に基づいてパスを設定する。
図３において、伝送装置Ａの監視部Ａ−４は、伝送装置Ｂとの伝送路の接続を認識した場合、制御部Ａ−６に対し「伝送路接続認識あり」の監視状態を通知する。（又は、制御部Ａ−６が監視部の監視状態を確認する。）伝送装置Ｂとの接続確認を認識した制御部Ａ−６は、記憶部Ａ−５に保持してある「パス設定情報」を読み出して、高速側伝送路Ｉ／Ｆ部Ａ−３を介し伝送装置Ｂに対し送信を行う自装置内のパス設定を行う。
高速側伝送路Ｉ／Ｆ部Ｂ−３を介して「パス設定情報」を受信した伝送装置Ｂは、制御部Ｂ−６において、受信したパス設定情報を記憶部Ｂ−５に保持すると共に、自装置内のパス設定を行うことで、伝送装置Ａ，Ｂ間の通信経路を確立し、低速伝送装置間の通信経路を確立することができる。
図５は、本発明の第２実施例のネットワーク構成図を示す。この実施例における装置構成は図３と同一であるので同一部分には同一符号を付し、その説明を省略する。この実施例では、伝送装置Ｂから伝送装置Ａにパス設定情報が送信される。
図６は、制御部Ａ−６，Ｂ−６が実行するパス設定処理の第２実施例のフローチャートを示す。この処理は所定時間毎に繰り返し実行される。同図中、ステップＳ２０で監視部Ａ−４，Ｂ−４において伝送路で対向する伝送装置の接続を認識したか否かを判別し、認識した場合にはステップＳ２２で当該伝送路にパス設定情報送信要求を送信する。
ステップＳ２０で認識がなかった場合にはステップＳ２４にてパス設定情報を受信したか否かを判別し、受信がなければステップＳ２５でパス設定情報送信要求を受信したか否かを判別する。パス設定情報送信要求を受信した場合にはステップＳ２６で要求されたパス設定情報を送信し、ステップＳ２７で当該パス設定情報に基づいてパスを設定する。パス設定情報送信要求を受信していない場合にはステップＳ２０に進む。一方、ステップＳ２４でパス設定情報を受信した場合にはステップＳ２８で受信したパス設定情報に基づいてパスを設定する。
図５において、伝送装置Ａの監視部Ａ−４は、伝送装置Ｂとの伝送路の接続を認識した場合、制御部Ａ−６に対し「伝送路接続認識あり」の監視状態を通知する。（又は、制御部Ａ−６が監視部の監視状態を確認する。）伝送装置Ｂとの接続確認を認識した制御部Ａ−６は、高速側伝送路Ｉ／Ｆ部Ａ−３を介し、伝送装置Ｂに対し「パス設定情報送信要求」を送信する。
高速側伝送路Ｉ／Ｆ部Ｂ−３を介して「パス設定情報送信要求」を受信した伝送装置Ｂは、制御部Ｂ−６において、記憶部Ｂ−５に保持している「パス設定情報」を読み出し、高速側伝送路Ｉ／Ｆ部Ｂ−３を介して、伝送装置Ａにレスポンスとして「パス設定情報」の送信を行うと共に自装置内のパス設定を行う。伝送装置Ａでは、高速側伝送路Ｉ／Ｆ部Ａ−３を介して、伝送装置Ｂからのレスポンスである「パス設定情報」を受信し、制御部Ａ−６において、受信した「パス設定情報」を記憶部Ａ−５に保持すると共に自装置内のパス設定を行うことで、伝送装置Ａ，Ｂ間の通信経路を確立し、低速伝送装置間の通信経路を確立することができる。
図７は、制御部Ａ−６，Ｂ−６が実行するパス設定処理の第３実施例のフローチャートを示す。この処理は所定時間毎に繰り返し実行される。同図中、ステップＳ３０で監視部Ａ−４，Ｂ−４において伝送路で対向する伝送装置の接続を認識したか否かを判別し、認識した場合にはステップＳ３２で自装置の記憶部Ａ−５，Ｂ−５に当該伝送路に関するパス設定情報が保持されているか否かを確認する。
ステップＳ３２でパス設定情報が保持されている場合には、ステップＳ３４で当該伝送路に上記パス設定情報を送信し、ステップＳ３５で上記パス設定情報に基づいてパスを設定する。その後、ステップＳ３６で所定時間内にパス設定完了通知を受信したか否かを判別し、パス設定完了通知の受信がない場合にのみステップＳ３４に進んでステップＳ３４，Ｓ３６を繰り返す。
一方、ステップＳ３２でパス設定情報が保持されていない場合には、ステップＳ３８で当該伝送路にパス設定情報送信要求を送信する。その後、ステップＳ４０で所定時間内にパス設定情報の返送があったか否かを判別し、パス設定情報の返送がない場合にのみステップＳ３８に進んでステップＳ３８，Ｓ４０を繰り返す。
更に、ステップＳ３０で伝送装置の接続の認識がなかった場合にはステップＳ４２にてパス設定情報を受信したか否かを判別し、受信がなければステップＳ３０に進む。パス設定情報の受信があればステップＳ４４で受信したパス設定情報に基づいてパスを設定する。
図５に示す伝送装置Ａの監視部Ａ−４は、伝送装置Ｂとの伝送路の接続を認識した場合、制御部Ａ−６に対し「伝送路接続認識あり」の監視状態を通知する。（又は、制御部Ａ−６が監視部の監視状態を確認する。）伝送装置Ｂとの接続確認を認識した制御部Ａ−６は、記憶部Ａ−５に保持されている「パス設定情報」の確認を行い、保持されているば第１実施例の方法でパス設定を行い、保持されていなければ第２実施例の方法でパス設定を行うことで、伝送装置Ａ，Ｂ間の通信経路を確立し、低速伝送装置間の通信経路を確立することができる。
図８は、本発明の第４実施例のネットワーク構成図を示す。この実施例における装置構成は図３と同一であるので同一部分には同一符号を付し、その説明を省略する。この実施例では、監視制御装置Ｅから伝送装置Ａにパス設定情報が送信される。
図９は、制御部Ａ−６が実行するパス設定処理の第４実施例のフローチャートを示す。この処理は所定時間毎に繰り返し実行される。同図中、ステップＳ５０で監視制御装置Ｅより監視制御装置Ｉ／Ｆ部Ａ−１を介しパス設定情報を受信したか否かを判別し、受信した場合にはステップＳ５２で受信したパス設定情報に基づいてパスを設定する。次に、ステップＳ５４で当該伝送路を介し伝送装置Ｂにパス設定情報を送信する。
図８において、伝送装置Ａに接続された監視制御装置Ｅより、監視制御装置Ｉ／Ｆ部Ａ−１を介し「パス設定情報」を受信した制御部Ａ−６は、受信した「パス設定情報」を記憶部Ａ−５に保持すると共に自装置内のパス設定を行い、更に、高速側伝送路Ｉ／Ｆ部Ａ−３を介し「パス設定情報」を伝送装置Ｂに対して送信する。
高速側伝送路Ｉ／Ｆ部Ｂ−３を介して「パス設定情報」を受信した伝送装置Ｂは、制御部Ｂ−６において、受信した「パス設定情報」を記憶部Ｂ−５に保持すると共に自装置内のパス設定を行うことで、伝送装置Ａ，Ｂ間の通信経路を確立し、低速伝送装置間の通信経路を確立することができる。
図１０は、本発明の第５実施例のネットワーク構成図を示す。この実施例における装置構成は図３と同一であるので同一部分には同一符号を付し、その説明を省略する。この実施例では、監視制御装置Ｅから伝送装置Ａにパス設定コマンドが送信される。
図１１は、制御部Ａ−６が実行するパス設定処理の第５実施例のフローチャートを示す。この処理は所定時間毎に繰り返し実行される。同図中、ステップＳ６０で監視制御装置Ｅより監視制御装置Ｉ／Ｆ部Ａ−１を介しパス設定コマンドを受信したか否かを判別し、受信した場合はステップＳ６２に進んで、伝送装置Ｂにパス設定送信要求を送信する。
次に、ステップＳ６４で伝送装置Ｂからパス設定情報を受信したか否かを判別し、受信した場合にはステップＳ６６で受信したパス設定情報に基づいてパスを設定する。
図１０において、伝送装置Ａに接続された監視制御装置Ｅより、監視制御装置Ｉ／Ｆ部Ａ−１を介し「パス設定コマンド」を受信した制御部Ａ−６は、高速側伝送路Ｉ／Ｆ部Ａ−３を介し、伝送装置Ｂに対し「パス設定情報送信要求」を送信する。高速側伝送路Ｉ／Ｆ部Ｂ−３を介して「パス設定情報送信要求」を受信した伝送装置Ｂは、制御部Ｂ−６において、記憶部Ｂ−５に保持している「パス設定情報」を読み出し、高速側伝送路Ｉ／Ｆ部Ｂ−３を介して、伝送装置Ａにレスポンスとして「パス設定情報」の送信を行うと共に自装置内のパス設定を行う。
伝送装置Ａでは、高速側伝送路Ｉ／Ｆ部Ａ−３を介して、伝送装置Ｂからのレスポンスを受信し、制御部Ａ−６において受信した「パス設定情報」を記憶部Ａ−５に保持すると共に自装置内のパス設定を行うことで、伝送装置Ａ，Ｂ間の通信経路を確立し、低速伝送装置間の通信経路を確立することができる。
図１２は、制御部Ａ−６が実行するパス設定処理の第６実施例のフローチャートを示す。この処理は所定時間毎に繰り返し実行される。同図中、ステップＳ７０で監視制御装置Ｅより監視制御装置Ｉ／Ｆ部Ａ−１を介しパス設定コマンドを受信したか否かを判別し、受信した場合はステップＳ７２に進んで、自装置の記憶部Ａ−５に当該伝送路に関するパス設定情報が保持されているか否かを確認する。
ステップＳ７２でパス設定情報が保持されている場合にはステップＳ７４で図９に示す処理を実行し、パス設定情報が保持されていない場合には図１０に示す処理を実行する。
図１０において、伝送装置Ａに接続された監視制御装置Ｅより、監視制御装置Ｉ／Ｆ部Ａ−１を介し「パス設定コマンド」を受信した制御部Ａ−６は、記憶部Ａ−５に「パス設定情報」が保持されている場合は図９の方法でパス設定を行い、保持されていない場合は図１０の方法でパス設定を行うことで、伝送装置Ａ，Ｂ間の通信経路を確立し、低速伝送装置間の通信経路を確立することができる。
図１３は、本発明の第７実施例のネットワーク構成図を示す。この実施例は図８の実施例の変形例であり、同一部分には同一符号を付し、その説明を省略する。
図１４は、監視制御装置Ｅが実行するパス設定制御処理の第１実施例のフローチャートを示す。同図中、ステップＳ８０で新たな伝送装置の認識があったかどうかを判別し、新たな伝送装置の認識があればステップＳ８２でパス設定情報を伝送装置Ａに送信する。その後、ステップＳ８４で所定時間内に伝送装置Ａからパス設定完了の通知があるか否かを判別し、通知がなければステップＳ８２を繰り返す。
図１３において、伝送装置Ｂを伝送装置Ａの高速側伝送路に追加接続すると、伝送装置Ａの監視部Ａ−４は、伝送装置Ｂの接続を認識し、その旨を監視制御装置Ｅに通知する。監視制御装置は、ネットワーク内に新たに伝送装置Ｂが接続されたことを認識し、伝送装置Ａに対し、「パス設定情報」を送信する。
監視視制御装置Ｉ／Ｆ部Ａ−１を介し「パス設定情報」を受信した制御部Ａ−６は、記憶部Ａ−５に保持してある「パス設定情報」を高速側伝送路Ｉ／Ｆ部Ａ−３を介し、伝送装置Ｂに対し送信を行うと共に自装置内のパス設定を行う。
高速側伝送路Ｉ／Ｆ部Ｂ−３を介して「パス設定情報」を受信した伝送装置Ｂは、制御部Ｂ−６において、受信した「パス設定情報」を記憶部Ｂ−５に保持すると共に自装置内のパス設定を行うことで、伝送装置Ａ，Ｂ間の通信経路を確立し、低速伝送装置間の通信経路を確立することができる。
図１５は、本発明の第８実施例のネットワーク構成図を示す。この実施例は図１０の実施例の変形例であり、同一部分には同一符号を付し、その説明を省略する。
図１６は、監視制御装置Ｅが実行するパス設定制御処理の第２実施例のフローチャートを示す。同図中、ステップＳ８６で新たな伝送装置の認識があったかどうかを判別し、新たな伝送装置の認識があればステップＳ８８でパス設定コマンドを伝送装置Ａに送信する。その後、ステップＳ８９で所定時間内に伝送装置Ａからパス設定完了の通知があるか否かを判別し、通知がなければステップＳ８８を繰り返す。
図１５において、伝送装置Ｂを伝送装置Ａの高速側伝送路に追加接続すると、伝送装置Ａの監視部Ａ−４は、伝送装置Ｂの接続を認識し、その旨を監視制御装置Ｅに通知する。監視制御装置は、ネットワーク内に新たに伝送装置Ｂが接続されたことを認識し、伝送装置Ａに対し、「パス設定コマンド」を送信する。
監視視制御装置Ｉ／Ｆ部Ａ−１を介し「パス設定コマンド」を受信した制御部Ａ−６は、高速側伝送路Ｉ／Ｆ部Ａ−３を介し伝送装置Ｂに対して「パス設定情報送信要求」を送信する。高速側伝送路Ｉ／Ｆ部Ｂ−３を介して「パス設定情報送信要求」を受信した伝送装置Ｂは、制御部Ｂ−６において、記憶部Ｂ−５に保持している「パス設定情報」を読み出し、高速側伝送路Ｉ／Ｆ部Ｂ−３を介して、伝送装置Ａにレスポンスとして「パス設定情報」の送信を行う。
伝送装置Ａでは、高速側伝送路Ｉ／Ｆ部Ａ−３を介して、伝送装置Ｂからの「パス設定情報」のレスポンスを受信し、制御部Ａ−６において、受信した「パス設定情報」を記憶部Ａ−５に保持すると共に自装置内のパス設定を行うことで、低速伝送装置間の通信経路を確立することができる。
図１７は、制御部Ａ−６，Ｂ−６が実行するパス設定処理の第３実施例の変形例のフローチャートを示す。同図中、図７と同一部分には同一符号を付す。この変形例では、ステップＳ４０の代りにステップＳ４６，Ｓ４７を実行する。
図１７において、ステップＳ３０で監視部Ａ−４，Ｂ−４において伝送路で対向する伝送装置の接続を認識したか否かを判別し、認識した場合にはステップＳ３２で自装置の記憶部Ａ−５，Ｂ−５に当該伝送路に関するパス設定情報が保持されているか否かを確認する。
ステップＳ３２でパス設定情報が保持されている場合には、ステップＳ３４で当該伝送路に上記パス設定情報を送信すると共に、上記パス設定情報に基づいてパスを設定する。その後、ステップＳ３６で所定時間内にパス設定完了通知を受信したか否かを判別し、パス設定完了通知の受信がない場合にのみステップＳ３４に進んでステップＳ３４，Ｓ３６を繰り返す。
一方、ステップＳ３２でパス設定情報が保持されていない場合には、ステップＳ３８で当該伝送路にパス設定情報送信要求を送信する。その後、ステップＳ４６で所定時間内にパス設定情報の返送があったか否かを判別し、パス設定情報の返送がない場合はステップＳ４７で自装置の記憶部Ａ−５，Ｂ−５に保持されているパス設定情報を対向する伝送装置に送信する。
更に、ステップＳ３０で伝送装置の接続の認識がなかった場合にはステップＳ４２にてパス設定情報を受信したか否かを判別し、受信がなければステップＳ３０に進む。パス設定情報の受信があればステップＳ４４で受信したパス設定情報に基づいてパスを設定する。
このようにして、ユーザのネットワーク構成の変更や回線の変更等に伴うパス設定情報を、全装置分作成及び送信するのではなく、特定装置に指示するだけで自動的に対向する伝送装置のパス設定を確実に切り替えることが可能となる。
なお、高速側伝送路Ｉ／Ｆ部Ａ−３，Ｂ−３が請求項記載の接続認識手段に対応し、ステップＳ１２，Ｓ２６，Ｓ３４がパス設定情報送信手段に対応し、ステップステップＳ１３，Ｓ２７，Ｓ２８，Ｓ３５，Ｓ４４がパス設定手段に対応し、ステップＳ２２，Ｓ３８がパス設定情報送信要求手段に対応し、ステップＳ３２がパス設定情報保持判別手段に対応し、ステップＳ８２がパス設定情報送信制御手段に対応し、ステップＳ８４がパス設定情報再送手段に対応し、ステップＳ８８がパス設定コマンド送信制御手段に対応し、ステップＳ８９がパス設定コマンド再送手段に対応する。
【図１】
2004068803.tif 000003
【図２】
2004068803.tif 000004
【図３】
2004068803.tif 000005
【図４】
2004068803.tif 000006
【図５】
2004068803.tif 000007
【図６】
2004068803.tif 000008
【図７】
2004068803.tif 000009
【図８】
2004068803.tif 000010
【図９】
2004068803.tif 000011
【図１０】
2004068803.tif 000012
【図１１】
2004068803.tif 000013
【図１２】
2004068803.tif 000014
【図１３】
2004068803.tif 000015
【図１４】
2004068803.tif 000016
【図１５】
2004068803.tif 000017
【図１６】
2004068803.tif 000018
【図１７】
2004068803.tif 000019
【国際調査報告】
2004068803.tif 000020
2004068803.tif 000021
2004068803.tif 000022
2004068803.tif 000023